(57)【要約】      （修正有）【課題】うつ伏せ（下向き）に寝た状態でマッサージを受ける場合でも、仰向け（上向き）に寝た状態でマッサージを受ける場合でも、患者が肉体的・感覚的に嫌な思いをすることが無く、そして埃などが溜まり難く、清潔感に富み、更には擦れて傷付くと言ったことが起き難く、耐久性に富むベッド装置を提供する。【解決手段】ベッドと装填具６とを備えたベッド装置であって、前記ベッド装置のベッド台１には貫通孔２が設けられており、前記貫通孔２と前記装填具６とは該装填具６が該貫通孔２に装填できるように構成されたものであり、前記貫通孔２部分には該貫通孔２に装填された装填具６の落下を防止する落下防止体５が設けられてなり、前記落下防止体５は前記貫通孔２を完全に閉鎖することが無いよう構成されたものである。【選択図】図３
0003109537.tif 000002
【実用新案登録請求の範囲】
【請求項１】
ベッドと装填具とを備えたベッド装置であって、
前記ベッド装置のベッド台には貫通孔が設けられており、
前記貫通孔と前記装填具とは該装填具が該貫通孔に装填できるように構成されたものであり、
前記貫通孔部分には該貫通孔に装填された装填具の落下を防止する落下防止体が設けられてなり、
前記落下防止体は前記貫通孔を完全に閉鎖することが無いよう構成されたものである
ことを特徴とするベッド装置。
【請求項２】
落下防止体がスライド式で移動可能に構成されてなることを特徴とする請求項１のベッド装置。
【請求項３】
落下防止体が回動式で移動可能に構成されてなることを特徴とする請求項１又は請求項２のベッド装置。
【請求項４】
落下防止体は板体であり、前記板体の幅が貫通孔の幅よりも小さく構成されたものであることを特徴とする請求項１〜請求項３いずれかのベッド装置。
【請求項５】
貫通孔に装填されて落下防止体で受け止められた装填具の上面が前記貫通孔の周辺のベッド台の上面とほぼ同一面上に在るよう構成されたものであることを特徴とする請求項１〜請求項４いずれかのベッド装置。
【請求項６】
ベッド装置がマッサージ用のものであることを特徴とする請求項１〜請求項５いずれかのベッド装置。
【考案の詳細な説明】
【技術分野】
【０００１】
本考案は、特に、マッサージ用のベッド装置に関する。
【背景技術】
【０００２】
マッサージは、ベッド台の上に仰向け（上向き）又はうつ伏せ（下向き）に寝た状態で行われる。このようなマッサージに用いられるベッド台は硬めのものである。そして、仰向けに寝た状態でマッサージを受ける場合には、それ程の不都合が無い。しかしながら、うつ伏せに寝た状態でマッサージを受ける場合、顔が、直接、ベッド台に着く為、肉体的にも感覚的に嫌なものであり、出来るだけ避けたいものである。従って、場合によっては、顔を横向けてマッサージを受けたりもする。とは言うものの、どうしても、顔を下向きにせざるを得ない場合が有る。
【考案の開示】
【考案が解決しようとする課題】
【０００３】
そこで、このような問題を解決する為、図５に示す如く、ベッド台１１に穴１２を設けておき、そしてこの穴１２に枕１３を配設するベッド装置が考えられた。すなわち、うつ伏せに寝た状態でマッサージを受ける場合には、枕１３を穴１２から取り除いておけば、顔は穴１２に位置することから、顔が直接にベッドに当ると言った不都合は無くなる。そして、仰向けに寝た状態でマッサージを受ける場合には、穴１２に枕１３を入れておけば、ほぼ、平坦状態が確保されるから、これ、また、大きな不都合は起きない。
【０００４】
しかしながら、この種のベッド装置は、穴１２が貫通孔で無いことから、この穴１２の底面上に埃などが溜まることも有り、患者が不愉快な思いをするであろうことに気付いた。勿論、埃が目立つ場合には掃除がなされるであろうが、施術者の中には目の不自由な者も多く、掃除が行き届かない場合が起こり得る。特に、埃などは目に付き難いから、そのような恐れは大きいと考えられる。
【０００５】
そこで、穴１２を貫通孔にすることを考えた。すなわち、貫通孔にすれば、底面が無いから、埃などが溜まるようなことは無くなる。
【０００６】
しかし、枕１３が落ちないようにしなければならない。
【０００７】
そこで、穴１２を貫通孔にすると共に、枕１３の外径を貫通孔の内径よりも多少大きくしておき、即ち、枕１３を孔に装填する場合にきつ目のものとなるようにした。
【０００８】
ところが、この場合には、枕１３の出し入れに際して、枕１３が貫通孔の内壁で厳しく擦られ、枕１３が傷んだり、ベッド台の貫通孔の周囲が傷んだりすることになった。すなわち、耐久性に問題が起きた。
【０００９】
従って、本考案が解決しようとする第１の課題は、うつ伏せに寝た状態でマッサージを受ける場合でも、仰向けに寝た状態でマッサージを受ける場合でも、患者が肉体的・感覚的に嫌な思いをすることが無いベッド装置を提供することである。
【００１０】
本考案が解決しようとする第２の課題は、埃などが溜まり難く、清潔感に富んだベッド装置を提供することである。
【００１１】
本考案が解決しようとする第３の課題は、激しく擦れて傷付くと言ったことが起き難く、耐久性に富むベッド装置を提供することである。
【課題を解決するための手段】
【００１２】
前記の課題は、ベッドと装填具とを備えたベッド装置であって、
前記ベッド装置のベッド台には貫通孔が設けられており、
前記貫通孔と前記装填具とは該装填具が該貫通孔に装填できるように構成されたものであり、
前記貫通孔部分には該貫通孔に装填された装填具の落下を防止する落下防止体が設けられてなり、
前記落下防止体は前記貫通孔を完全に閉鎖することが無いよう構成されたものである
ことを特徴とするベッド装置によって解決される。
【００１３】
そして、上記のベッド装置において、落下防止体はスライド式とか回動式に構成されている。すなわち、落下防止体は可動構造となっていて、例えば孔の中央位置から外したり、孔の中央位置に持って来たり出来るようになっている。これは、落下防止体が孔を完全に塞ぐことは無いとは言え、孔の上から埃が落ちて来ることも有り、このような場合には落下防止体上に溜まった埃を拭き取ることも想定されるから、そのような場合には落下防止体が可動式になっている方が遣り易いからである。
【００１４】
特に、落下防止体は板体であって、前記板体の幅が貫通孔の幅よりも小さく構成されたものである。これは、落下防止体は、貫通孔に装填された装填具の落下を防止する為のものであるから、孔全面を塞ぐ必要は無く、寧ろ、落下防止体が孔に位置した時でも孔全面を塞がない方が埃も溜まり難いからである。
【００１５】
又、貫通孔に装填されて落下防止体で受け止められた装填具の上面が前記貫通孔の周辺のベッド台の上面とほぼ同一面上に在るよう構成されている。これは、出来るだけ凹凸の無い方が好ましいからである。
【考案の効果】
【００１６】
上記のように構成させた本考案のベッド装置は、仰向けに寝た状態でマッサージを受ける場合には、装填具を貫通孔の部分に配しておけば、ベッド台上面はほぼ平坦面が確保され、即ち、頭が貫通孔内に落ち込むことが無いから、安心してマッサージを受けることが出来る。
【００１７】
そして、うつ伏せに寝た状態でマッサージを受ける場合には、装填具を貫通孔から取り外しておけば、この貫通孔部分に顔を位置させることが出来、従って圧迫を受けることが無く、かつ、圧迫感も少なく、気持ちよくマッサージを受けることが出来る。
【００１８】
しかも、装填具の大きさは貫通孔の大きさよりも小さめにしているから、装填具の出し入れに際して、装填具や貫通孔の内壁部分が強く擦られて傷付くと言ったことが起き難い。すなわち、耐久性に富む。
【００１９】
又、装填具が配されるのは穴で無く、貫通孔であるから、ここに埃が溜まることは無い。従って、患者に不愉快な思いをさせることが無い。すなわち、清潔感に富んだものである。
【考案を実施するための最良の形態】
【００２０】
図１は本考案になるベッド装置の斜視図、図２はベッド台に設けられた落下防止機構を説明するベッド台の下面図、図３は図２におけるＩＩＩ−ＩＩＩ線での断面図である。
【００２１】
各図中、１は、マッサージに際して用いられるベッド台である。
【００２２】
ベッド台１の片方側の略中央部には貫通孔２が設けられている。尚、この貫通孔２の大きさは、人の顔がほぼ嵌まり込む程度の大きさである。例えば、長径が３０〜４５ｃｍ程度の楕円形状の孔である。
【００２３】
ベッド台１の下面側には、図２からも判る通り、貫通孔２の長手方向に沿って左右の両側にレール３，４が設けられている。そして、このレール３，４によって幅が５〜１０ｃｍ程度の板体５が配設されている。そして、レール３，４に案内されて板体５は貫通孔２の長手方向においてスライドする。尚、一方の側に板体５をスライドさせた場合でも、板体５の一部分を貫通孔２の上から見ることが出来る。
【００２４】
６は装填具（枕）である。この装填具６を貫通孔２に装填した場合、貫通孔２はほぼ埋められてしまうものの、装填具６の出し入れに際して、装填具６の外周と貫通孔２の内周とが強く擦られることは無い程度の大きさである。すなわち、貫通孔２と装填具６との間に約５ｍｍ程度の隙間が有るように構成されている。又、貫通孔２に装填されて板体５で受け止められた装填具６の上面６ａが貫通孔２の周辺のベッド台１の上面１ａとほぼ同一面上に在るように装填具６の高さが構成されている。
【００２５】
上記のように構成させたマッサージ用のベッド装置は、仰向けに寝た状態でマッサージを受ける場合には、装填具６を貫通孔２の部分に配しておけば、板体５によって装填具６は保持され、ベッド台上面はほぼ平坦面が確保される。従って、頭が貫通孔２内に落ち込むことが無いから、安心してマッサージを受けることが出来る。又、出っ張っても無いので、マッサージを受ける時にも施術を受け易い。
【００２６】
うつ伏せに寝た状態でマッサージを受ける場合には、装填具６を貫通孔２から取り外しておけば、貫通孔２部分に顔を位置させることが出来る。従って、顔との間には隙間が十分に有るから、圧迫を受けることが無く、かつ、圧迫感も少なく、気持ちよくマッサージを受けることが出来る。尚、板体５が貫通孔２の位置に有ったとしても、貫通孔２を板体５が完全に塞ぐものでは無いから、圧迫感は大幅に無くなる。更には、貫通孔２であるから、常に、新鮮な空気が確保されており、息をするのも楽である。
【００２７】
そして、装填具６の大きさは貫通孔２の大きさよりも小さめにしているから、装填具６の出し入れに際して、装填具６や貫通孔２が強く擦られて傷付くと言ったことが起き難い。すなわち、耐久性に富む。
【００２８】
又、装填具６が配されるのは貫通孔２であるから、ここに埃が溜まることは無い。従って、患者に不愉快な思いをさせることが無い。すなわち、清潔感に富んだものである。
【００２９】
尚、貫通孔２の部分で板体５が露出することも有り、この時には板体５上面に埃が溜まる恐れが無いとは言えない。しかしながら、板体５はスライドするから、埃が溜まり難い。かつ、埃が溜まるとしても、板体５の幅は貫通孔２の幅より小さいから、その量は少ない。かつ、掃除するにしても楽である。すなわち、板体５の端側が開いているので掃除がし易い。
【００３０】
図４は本考案になるベッド装置のベッド台に設けられた他の落下防止機構を説明するベッド台の下面図である。
【００３１】
前記実施の形態にあっては、板体５は、スライド式のものであったが、本実施形態にあっては、板体５は支点７を中心にして回動できるようにしたものである。尚、８は板体５の先端部を受け止めるロック部材である。そして、その他の構成は前記実施形態のものと同じであるから、詳細な説明を省略する。
【図面の簡単な説明】
【００３２】
【図１】本考案になるベッド装置の斜視図
【図２】本考案になるベッド装置の落下防止機構の説明図
【図３】本考案になるベッド装置の断面図
【図４】本考案になるベッド装置の他の落下防止機構の説明図
【図５】先行のベッド装置の断面図
【符号の説明】
【００３３】
１      ベッド台
２      貫通孔
３，４  レール
５      板体
６      装填具
７      支点
８      ロック部材
代  理  人  宇  高  克  己
【図１】
0003109537.tif 000003
【図２】
0003109537.tif 000004
【図３】
0003109537.tif 000005
【図４】
0003109537.tif 000006
【図５】
0003109537.tif 000007